【手続補正書】
【提出日】平成22年4月16日(2010.4.16)
【手続補正１】
【補正対象書類名】特許請求の範囲
【補正対象項目名】全文
【補正方法】変更
【補正の内容】
【特許請求の範囲】
【請求項１】
ユーザの選択、入力により文章を表示する文章入力装置であって、
前記ユーザに選択させる条件文字の列を前記文章入力装置のボタンのキー番号に、前記ユーザにより前記キー番号が入力された回数を行に対応させたマトリクス表内に前記文章を格納する情報マトリクス表を記憶する情報マトリクス表記憶装置と、
前記キー番号および前記キー番号が入力された回数を、前記キー番号毎に格納する記憶装置と、
前記記憶装置に格納される第１のキー番号と前記ユーザに新たに入力された第２のキー番号とが一致するかを判断するデータ判断手段と、
前記データ判断手段にて一致すると判断された場合、前記第１のキー番号の前記回数を更新し前記記憶装置に格納する行更新手段と、
前記データ判断手段にて一致しないと判断された場合、前記第１のキー番号および前記第１のキー番号が入力された回数と、前記第２のキー番号および前記第２のキー番号が入力された回数の値を前記記憶装置に格納する列更新手段と、
前記記憶装置に格納される前記キー番号および前記キー番号が入力された回数に対応する前記情報マトリクス表内の前記文章を表示させるデータ表示手段
とを備えることを特徴とする文章入力装置。
【請求項２】
ユーザに、保険見積を依頼するための条件より成る保険契約データを携帯情報端末を介して作成させ、前記携帯情報端末より受信する作成された前記保険契約データを基に保険料見積を計算する保険料計算サーバであって、
前記携帯情報端末に選択させる前記条件の列を前記携帯情報端末のキーボード装置のキー番号に、前記携帯情報端末にて前記キー番号が入力された回数を行に対応させたマトリクス表内に、前記保険契約データおよび前記保険データの重みを格納する料金計算用キー番号対応表を格納する料金計算用キー番号対応表記憶部と、
前記ユーザに選択させる前記条件の列を前記文章入力装置のボタンのキー番号に、前記ユーザにより前記キー番号が入力された回数を行に対応させたマトリクス表内に前記保険契約データを格納するキー番号対応表を記憶するキー番号対応表記憶部と、前記キー番号および前記キー番号が入力された回数を前記キー番号毎に格納する作業データ記憶部、
前記作業データ記憶部に格納される第１のキー番号と前記ユーザに新たに入力された第２のキー番号とが一致するかを判断するデータ判断手段、
前記データ判断手段にて一致すると判断された場合、前記第１のキー番号の前記回数を更新し前記作業データ記憶部に格納する行更新手段、
前記データ判断手段にて一致しないと判断された場合、前記第１のキー番号および前記第１のキー番号が入力された回数と、前記第２のキー番号および前記第２のキー番号が入力された回数の値を前記作業データ記憶部に格納する列更新手段、
前記作業データ記憶部に格納される前記第１および第２のキー番号と、前記第１および第２のキー番号が入力された回数に対応する前記キー番号対応表内の前記保険契約データを表示させるデータ表示手段
を前記携帯通信端末に設定する保険契約プログラム設定手段と、
前記携帯通信端末より送信される前記保険契約データを分析し、前記料金計算用キー番号対応表の前記条件および前記回数と対応させ、対応する重み値を取得する保険契約条件データ分析手段と、
前記保険契約条件データ分析手段が取得する前記重み値を基に、保険料見積を算出する保険料見積算出手段と、
前記保険料見積算出手段が算出した前記保険料見積を前記携帯通信端末へ送信する保険料見積データ送信手段
とを備えることを特徴とする保険料計算サーバ。
【請求項３】
ユーザからの入力により、保険見積を依頼するための条件より成る保険契約データを作成し、保険料計算サーバに対して保険料見積を依頼する携帯通信端末であって、
前記ユーザに選択させる前記条件の列を前記文章入力装置のボタンのキー番号に、前記ユーザにより前記キー番号が入力された回数を行に対応させたマトリクス表内に前記保険契約データを格納するキー番号対応表を記憶するキー番号対応表記憶部と、
前記キー番号および前記キー番号が入力された回数を、前記キー番号毎に格納する作業データ記憶部と、
前記作業データ記憶部に格納される第１のキー番号と前記ユーザに新たに入力された第２のキー番号とが一致するかを判断するデータ判断手段と、
前記データ判断手段にて一致すると判断された場合、前記第１のキー番号の前記回数を更新し前記作業データ記憶部に格納する行更新手段と、
前記データ判断手段にて一致しないと判断された場合、前記第１のキー番号および前記第１のキー番号が入力された回数と、前記第２のキー番号および前記第２のキー番号が入力された回数の値を前記作業データ記憶部に格納する列更新手段と、
前記作業データ記憶部に格納される前記第１および第２のキー番号と、前記第１および第２のキー番号が入力された回数に対応する前記キー番号対応表内の前記保険契約データを表示させるデータ表示手段
とを備えることを特徴とする携帯通信端末。
【請求項４】
ユーザに、保険見積を依頼するための条件より成る保険契約データを作成させる携帯情報端末と、前記携帯情報端末より受信する作成された前記保険契約データを基に保険料見積を計算する保険料計算サーバより成る保険料計算システムであって、
前記携帯情報端末は、
前記ユーザに選択させる前記条件の列を前記文章入力装置のボタンのキー番号に、前記ユーザにより前記キー番号が入力された回数を行に対応させたマトリクス表内に前記保険契約データを格納するキー番号対応表を記憶するキー番号対応表記憶部と、
前記キー番号および前記キー番号が入力された回数を前記キー番号毎に格納する作業データ記憶部と、
前記作業データ記憶部に格納される第１のキー番号と前記ユーザに新たに入力された第２のキー番号とが一致するかを判断するデータ判断手段と、
前記データ判断手段にて一致すると判断された場合、前記第１のキー番号の前記回数を更新し前記作業データ記憶部に格納する行更新手段と、
前記データ判断手段にて一致しないと判断された場合、前記第１のキー番号および前記第１のキー番号が入力された回数と、前記第２のキー番号および前記第２のキー番号が入力された回数の値を前記作業データ記憶部に格納する列更新手段と、
前記作業データ記憶部に格納される前記第１および第２のキー番号と、前記第１および第２のキー番号が入力された回数に対応する前記キー番号対応表内の前記保険契約データを表示させるデータ表示手段
とを備え、前記保険料計算サーバは、
前記携帯情報端末に選択させる前記条件の列を前記携帯情報端末のキーボード装置のキー番号に、前記携帯情報端末にて前記キー番号が入力された回数を行に対応させたマトリクス表内に、前記保険契約データおよび前記保険データの重みを格納する料金計算用キー番号対応表を格納する料金計算用キー番号対応表記憶部と、
前記携帯通信端末より送信される前記保険契約データを分析し、前記料金計算用キー番号対応表の前記条件および前記回数と対応させ、対応する重み値を取得する保険契約条件データ分析手段と、
前記保険契約条件データ分析手段が取得する前記重み値を基に、保険料見積を算出する保険料見積算出手段と、
前記保険料見積算出手段が算出した前記保険料見積を前記携帯通信端末へ送信する保険料見積データ送信手段
とを備えることを特徴とする保険料計算システム。
【請求項５】
ユーザに、保険見積を依頼するための条件より成る保険契約データを作成させる携帯情
報端末と、前記携帯情報端末より受信する作成された前記保険契約データを基に保険料見
積を計算する保険料計算サーバより成るコンピュータにおいて、
前記携帯情報端末は、
キー番号対応表記憶部に前記ユーザに選択させる前記条件の列を前記文章入力装置のボタンのキー番号に、前記ユーザにより前記キー番号が入力された回数を行に対応させたマトリクス表内に前記保険契約データを格納するキー番号対応表を記憶させる命令と、
作業データ記憶部に、前記キー番号および前記キー番号が入力された回数を前記キー番号毎を記憶させる命令と、
データ判断手段が、前記作業データ記憶部に格納される第１のキー番号と前記ユーザに新たに入力された第２のキー番号とが一致するかを判断する命令と、
行更新手段が、前記データ判断手段にて一致すると判断された場合、前記第１のキー番号の前記回数を更新し前記作業データ記憶部に格納する命令と、
列更新手段が、前記データ判断手段にて一致しないと判断された場合、前記第１のキー番号および前記第１のキー番号が入力された回数と、前記第２のキー番号および前記第２のキー番号が入力された回数の値を前記作業データ記憶部に格納する命令と、
データ表示手段が、前記作業データ記憶部に格納される前記キー番号および前記キー番号が入力された回数に対応する前記キー番号対応表内の前記保険契約データを表示させる命令
とを備え、前記保険料計算サーバは、
料金計算用キー番号対応表記憶部に、前記携帯情報端末に選択させる前記条件の列を前記携帯情報端末のキーボード装置のキー番号に、前記携帯情報端末にて前記キー番号が入力された回数を行に対応させたマトリクス表内に、前記保険契約データおよび前記保険データの重みを格納する料金計算用キー番号対応表を記憶させる命令と、
保険契約条件データ分析手段が、前記携帯通信端末より送信される前記保険契約データを分析し、前記料金計算用キー番号対応表の前記条件および前記回数と対応させ、対応する重み値を取得する命令と、
保険料見積算出手段が、前記保険契約条件データ分析手段が取得する前記重み値を基に、保険料見積を算出する命令と、
保険料見積データ送信手段が、前記保険料見積算出手段が算出した前記保険料見積を前記携帯通信端末へ送信する命令
とを実行させることを特徴とする保険料計算プログラム。
【手続補正２】
【補正対象書類名】明細書
【補正対象項目名】０００７
【補正方法】変更
【補正の内容】
【０００７】
上記問題点を鑑みて、本発明の第１の特徴は、（ａ）ユーザの選択、入力により文章を表示する文章入力装置であって、ユーザに選択させる条件文字の列を前記文章入力装置のボタンのキー番号に、ユーザによりキー番号が入力された回数を行に対応させたマトリクス表内に文章を格納する情報マトリクス表を記憶する情報マトリクス表記憶装置４４と、（ｂ）キー番号およびキー番号が入力された回数を、キー番号毎に格納する記憶装置４３と、（ｃ）記憶装置４３に格納される第１のキー番号とユーザに新たに入力された第２のキー番号とが一致するかを判断するデータ判断手段４５ｂと、（ｄ）データ判断手段４５ｂにて一致すると判断された場合、第１のキー番号の回数を更新し記憶装置４３に格納する行更新手段４５ｄと、（ｅ）データ判断手段４５ｂにて一致しないと判断された場合、第１のキー番号および第１のキー番号が入力された回数と、第２のキー番号および第２のキー番号が入力された回数の値を記憶装置４３に格納する列更新手段４５ｃと、（ｆ）記憶装置４３に格納されるキー番号およびキー番号が入力された回数に対応する情報マトリクス表内の文章を表示させるデータ表示手段４５ｅとを備える文章入力装置であることを要旨とする。
【手続補正３】
【補正対象書類名】明細書
【補正対象項目名】０００８
【補正方法】変更
【補正の内容】
【０００８】
本発明の第２の特徴は、（ａ）ユーザに、保険見積を依頼するための条件より成る保険契約データを携帯情報端末を介して作成させ、携帯情報端末より受信する作成された保険契約データを基に保険料見積を計算する保険料計算サーバであって、携帯情報端末に選択させる条件の列を携帯情報端末のキーボード装置のキー番号に、携帯情報端末にてキー番号が入力された回数を行に対応させたマトリクス表内に、保険契約データおよび保険データの重みを格納する料金計算用キー番号対応表を格納する料金計算用キー番号対応表記憶部３６と、（ｂ）ユーザに選択させる条件の列を前記文章入力装置のボタンのキー番号に、ユーザによりキー番号が入力された回数を行に対応させたマトリクス表内に保険契約データを格納するキー番号対応表を記憶するキー番号対応表記憶部１９と、（ｃ）キー番号およびキー番号が入力された回数をキー番号毎に格納する作業データ記憶部１８、作業データ記憶部１８に格納される第１のキー番号とユーザに新たに入力された第２のキー番号とが一致するかを判断するデータ判断手段１０ｃ、データ判断手段１０ｃにて一致すると判断された場合第１のキー番号の回数を更新し作業データ記憶部１８に格納する行更新手段１０ｅ、データ判断手段１０ｃにて一致しないと判断された場合第１のキー番号および第１のキー番号が入力された回数と第２のキー番号および第２のキー番号が入力された回数の値を作業データ記憶部１８に格納する列更新手段１０ｅ、作業データ記憶部１８に格納される第１および第２のキー番号と第１および第２のキー番号が入力された回数に対応するキー番号対応表内の保険契約データを表示させるデータ表示手段１０ｆを携帯通信端末に設定する保険契約プログラム設定手段３５と、（ｄ）携帯通信端末より送信される保険契約データを分析し、料金計算用キー番号対応表の条件および回数と対応させ、対応する重み値を取得する保険契約条件データ分析手段３５ｂと、（ｅ）保険契約条件データ分析手段３５ｂが取得する重み値を基に、保険料見積を算出する保険料見積算出手段３５ｃと、（ｆ）保険料見積算出手段３５ｃが算出した保険料見積を携帯通信端末へ送信する保険料見積データ送信手段３５ｄとを備える保険料計算サーバであることを要旨とする。
【手続補正４】
【補正対象書類名】明細書
【補正対象項目名】０００９
【補正方法】変更
【補正の内容】
【０００９】
本発明の第３の特徴は、（ａ）ユーザからの入力により、保険見積を依頼するための条件より成る保険契約データを作成し、保険料計算サーバに対して保険料見積を依頼する携帯通信端末であって、ユーザに選択させる条件の列を前記文章入力装置のボタンのキー番号に、ユーザによりキー番号が入力された回数を行に対応させたマトリクス表内に保険契約データを格納するキー番号対応表を記憶するキー番号対応表記憶部１９と、（ｂ）キー番号およびキー番号が入力された回数を、キー番号毎に格納する作業データ記憶部１８と、（ｃ）作業データ記憶部１８に格納される第１のキー番号とユーザに新たに入力された第２のキー番号とが一致するかを判断するデータ判断手段１０ｃと、（ｄ）データ判断手段１０ｃにて一致すると判断された場合、第１のキー番号の回数を更新し作業データ記憶部１８に格納する行更新手段１０ｅと、（ｅ）データ判断手段１０ｃにて一致しないと判断された場合、第１のキー番号および第１のキー番号が入力された回数と、第２のキー番号および第２のキー番号が入力された回数の値を作業データ記憶部１８に格納する列更新手段１０ｅと、（ｆ）作業データ記憶部１８に格納される第１および第２のキー番号と、第１および第２のキー番号が入力された回数に対応するキー番号対応表内の保険契約データを表示させるデータ表示手段１０ｆとを備える携帯通信端末であることを要旨とする。
【手続補正５】
【補正対象書類名】明細書
【補正対象項目名】００１０
【補正方法】変更
【補正の内容】
【００１０】
本発明の第４の特徴は、（ａ）ユーザに、保険見積を依頼するための条件より成る保険契約データを作成させる携帯情報端末と、携帯情報端末より受信する作成された保険契約データを基に保険料見積を計算する保険料計算サーバより成る保険料計算システムであって、（ｂ）携帯情報端末は、ユーザに選択させる条件の列を前記文章入力装置のボタンのキー番号に、ユーザによりキー番号が入力された回数を行に対応させたマトリクス表内に保険契約データを格納するキー番号対応表を記憶するキー番号対応表記憶部１９と、（ｃ）キー番号およびキー番号が入力された回数をキー番号毎に格納する作業データ記憶部１８と、（ｄ）作業データ記憶部１８に格納される第１のキー番号とユーザに新たに入力された第２のキー番号とが一致するかを判断するデータ判断手段１０ｃと、（ｅ）データ判断手段１０ｃにて一致すると判断された場合、第１のキー番号の回数を更新し作業データ記憶部１８に格納する行更新手段１０ｅと、（ｆ）データ判断手段１０ｃにて一致しないと判断された場合、第１のキー番号および第１のキー番号が入力された回数と、第２のキー番号および第２のキー番号が入力された回数の値を作業データ記憶部１８に格納する列更新手段１０ｅと、（ｇ）作業データ記憶部１８に格納される第１および第２のキー番号と、第１および第２のキー番号が入力された回数に対応するキー番号対応表内の保険契約データを表示させるデータ表示手段１０ｆとを備え、（ｈ）保険料計算サーバは、携帯情報端末に選択させる条件の列を携帯情報端末のキーボード装置のキー番号に、携帯情報端末にてキー番号が入力された回数を行に対応させたマトリクス表内に、保険契約データおよび保険データの重みを格納する料金計算用キー番号対応表を格納する料金計算用キー番号対応表記憶部３６と、（ｉ）携帯通信端末より送信される保険契約データを分析し、料金計算用キー番号対応表の条件および回数と対応させ、対応する重み値を取得する保険契約条件データ分析手段３５ｂと、（ｊ）保険契約条件データ分析手段３５ｂが取得する重み値を基に、保険料見積を算出する保険料見積算出手段３５ｃと、（ｋ）保険料見積算出手段３５ｃが算出した保険料見積を携帯通信端末へ送信する保険料見積データ送信手段３５ｄとを備える保険料計算システムであることを要旨とする。
【手続補正６】
【補正対象書類名】明細書
【補正対象項目名】００１１
【補正方法】変更
【補正の内容】
【００１１】
本発明の第５の特徴は、（ａ）ユーザに、保険見積を依頼するための条件より成る保険契約データを作成させる携帯情報端末と、携帯情報端末より受信する作成された保険契約データを基に保険料見積を計算する保険料計算サーバより成るコンピュータにおいて、（ｂ）携帯情報端末は、キー番号対応表記憶部１９にユーザに選択させる条件の列を前記文章入力装置のボタンのキー番号に、ユーザによりキー番号が入力された回数を行に対応させたマトリクス表内に保険契約データを格納するキー番号対応表を記憶させる命令と、（ｃ）作業データ記憶部１８に、キー番号およびキー番号が入力された回数をキー番号毎を記憶させる命令と、（ｄ）データ判断手段１０ｃが、作業データ記憶部１８に格納される第１のキー番号とユーザに新たに入力された第２のキー番号とが一致するかを判断する命令と、（ｅ）行更新手段１０ｅが、データ判断手段１０ｃにて一致すると判断された場合、第１のキー番号の回数を更新し作業データ記憶部１８に格納する命令と、（ｆ）列更新手段１０ｅが、データ判断手段１０ｃにて一致しないと判断された場合、第１のキー番号および第１のキー番号が入力された回数と、第２のキー番号および第２のキー番号が入力された回数の値を作業データ記憶部１８に格納する命令と、（ｇ）データ表示手段１０ｆが、作業データ記憶部１８に格納されるキー番号およびキー番号が入力された回数に対応するキー番号対応表内の保険契約データを表示させる命令とを備え、（ｈ）保険料計算サーバは、料金計算用キー番号対応表記憶部３６に、携帯情報端末に選択させる条件の列を携帯情報端末のキーボード装置のキー番号に、携帯情報端末にてキー番号が入力された回数を行に対応させたマトリクス表内に、保険契約データおよび保険データの重みを格納する料金計算用キー番号対応表を記憶させる命令と、（ｉ）保険契約条件データ分析手段３５ｂが、携帯通信端末より送信される保険契約データを分析し、料金計算用キー番号対応表の条件および回数と対応させ、対応する重み値を取得する命令と、（ｊ）保険料見積算出手段３５ｃが、保険契約条件データ分析手段３５ｂが取得する重み値を基に、保険料見積を算出する命令と、（ｋ）保険料見積データ送信手段３５ｄが、保険料見積算出手段３５ｃが算出した保険料見積を携帯通信端末へ送信する命令とを実行させる保険料計算プロ
グラムであることを要旨とする。